(57)【要約】【課題】クリップにて筆記具を胸ポケットに装着する場合に、筆記具の先端がポケットの底部に当接しにくく、さらに、中間部が軸筒の側面から離間するよう弧状に形成したクリップ本体が、軸筒の側面からクリップの基部を突設させて軸筒と一体に形成されたクリップ付筆記具であっても、クリップで物を挟む際に力が集中しやすいクリップ本体における後端部が折れにくいクリップ付筆記具を、簡単な構造で得る。【解決手段】クリップ本体の巾より狭い巾の垂直壁を、前記クリップ本体の裏面側における後端部から中央部に渡り、前記軸筒の側面との間に一定の隙間を設けて形成し、当該隙間を、前記クリップ本体の裏面側における前記垂直壁の前端より前の位置において前記軸筒の側面との間に形成される隙間より狭く形成したことを特徴とするクリップ付筆記具。【選択図】      図４
2012106376.tif 000002
【特許請求の範囲】
【請求項１】
中間部が軸筒の側面から離間するよう弧状に形成したクリップ本体が、前記軸筒の側面からクリップの基部を突設させて当該軸筒と一体に形成されたクリップ付筆記具であって、該クリップ本体の巾より狭い巾の垂直壁を、前記クリップ本体の裏面側における後端部から中央部に渡り、前記軸筒の側面との間に一定の隙間を設けて形成し、当該隙間を、前記クリップ本体の裏面側における前記垂直壁の前端より前の位置において前記軸筒の側面との間に形成される隙間より狭く形成したことを特徴とするクリップ付筆記具。
【発明の詳細な説明】
【技術分野】
【０００１】
本発明はクリップ付筆記具に関し、さらに詳細には、中間部が軸筒の側面から離間するよう弧状に形成したクリップ本体が、軸筒の側面からクリップの基部を突設させて軸筒と一体に形成されたクリップ付筆記具に関する。
【背景技術】
【０００２】
従来よりクリップが設けられた筆記具は多く、クリップで挟む物としては、紙のような薄い物であったり、あるいは胸ポケットの上縁のように厚い物であったり様々である。通常クリップは、クリップの先端側で紙やポケットを挟持するのだが、厚い物に合わせてクリップと軸筒との間の隙間を広く設定したり、頻繁に厚い物の挟持に多用することでクリップが経時的に変形して開いてしまった場合には、薄い物が挟みにくくなるという問題があった。この問題を解決する方法として、実開昭５７−１６５４８７号公報には、キャップの側面に対する隙間が異なる２つ玉部がクリップ本体の裏面に設けてあり、クリップの先端側に設けた玉部（先接点部（３））をキャップの側面に対して密着するよう形成し、クリップの中間部に設けた玉部（後接点部（４））をキャップの側面に対して隙間を設けて形成してある。このクリップにて物を挟む場合、厚い物は、後接点部（４）より前の位置で、先接点部（３）とキャップ側面との間で物を挟み、薄い物は、クリップの基部に挟持物が接するまで差し込まれて、先接点部（３）及び後接点部（４）とキャップ側面との間で強く挟む構造が記載されている。
【０００３】
また、特開２００８−１６８４３４号公報には、クリップに配設したバネの弾発力にて、クリップの前方部を軸筒の側面に押し付ける構造のクリップ付筆記具が記載されており、このクリップは、バネの力でクリップを閉じることができるので、厚い物にも、薄い物にも対応させることが可能であり、またクリップの繰り返しの開閉操作においても、クリップが折れにくい構造である。
【先行技術文献】
【特許文献】
【０００４】
【特許文献１】実開昭５７−１６５４８７号公報
【特許文献２】特開２００８−１６８４３４号公報
【発明の概要】
【発明が解決しようとする課題】
【０００５】
ところで従来のクリップ付筆記具は、図５に示すように、胸ポケットに装着して携行することが間々あるが、ポケット３０の深さに対し、差し込む筆記具１１の軸筒２の長さが長い場合には、図５に示すように筆記具１１の先端２ａがポケット３０の底部３０ｂを突いてしまい、ポケット３０を傷つけてしまったり、筆記具１１が図５のようなノック式ボールペンであっても、ポケット３０の底部３０ｂに存在する毛羽立った繊維が軸筒２内に没入したボールに接触してボールを回転させてしまい、インキ漏れを生じさせる原因にもなっていた。尚、特開２００８−１６８４３４号公報に記載のクリップ付筆記具の構造では、軸筒の長さが長くても、バネの力で、胸ポケットの上縁がクリップ本体の中間に位置するように、筆記具の先端をポケットの底部から浮かせてクリップで挟持させることも可能だが、使用者がそのように使用することは手間がかかり現実的ではなく、図５に示した状態と同様に、筆記具の先端がポケットの底部に当接した状態になってしまっていた。さらに、特開２００８−１６８４３４号公報に記載のクリップは、バネなどの部品数が増えて形態も複雑になることから、コストアップを招く原因になったり、クリップが目立つ形状になってしまっていた。
【０００６】
尚、前記実開昭５７−１６５４８７号公報に記載のある筆記具のクリップは、クリップに隙間が異なる２つ玉部を設けてあり、当該公報の図４に示されるように、胸ポケットのような厚い物を挟持する場合には、クリップ本体の中間部に設けた玉部（後接点部（４））を胸ポケットの上縁に当接させて、筆記具の先端が、ポケットの底を突かないように装着させることができると考えられるが、特に、中間部が軸筒の側面から離間するよう弧状に形成したクリップ本体を、軸筒の側面からクリップの基部を突設させて軸筒と一体に形成したクリップでは、クリップ本体における後端部側に力が集中しやすいことから、厚い物を挟む際にクリップの後端部が折れやすいといった問題が存在している。
【０００７】
本発明はこうした問題を解消するために、クリップにて筆記具を胸ポケットに装着する場合に、筆記具の先端がポケットの底部に当接しにくく、さらに、中間部が軸筒の側面から離間するよう弧状に形成したクリップ本体が、軸筒の側面からクリップの基部を突設させて軸筒と一体に形成されたクリップ付筆記具であっても、クリップで物を挟む際に力が集中しやすいクリップ本体の後端部が折れにくい構造のクリップ付筆記具を得ることを目的とした。
【課題を解決するための手段】
【０００８】
本発明は、
「中間部が軸筒の側面から離間するよう弧状に形成したクリップ本体が、前記軸筒の側面からクリップの基部を突設させて当該軸筒と一体に形成されたクリップ付筆記具であって、該クリップ本体の巾より狭い巾の垂直壁を、前記クリップ本体の裏面側における後端部から中央部に渡り、前記軸筒の側面との間に一定の隙間を設けて形成し、当該隙間を、前記クリップ本体の裏面側における前記垂直壁の前端より前の位置において前記軸筒の側面との間に形成される隙間より狭く形成したことを特徴とするクリップ付筆記具。」である。
【０００９】
垂直壁の巾は、当該垂直壁が形成されている箇所におけるクリップ本体の巾より狭く形成することにより、クリップ本体の裏で垂直壁を目立たなくすることができる。また、クリップ本体を弧状に形成してあることから、クリップ本体と軸筒との間に形成される隙間は変化するが、垂直壁の底面と軸筒の側面との隙間は、垂直壁の前端の前の位置におけるクリップ本体の裏面と軸筒の側面との間に形成される隙間より狭くすることが肝要である。
【発明の効果】
【００１０】
本発明のクリップ付筆記具は、筆記具を胸ポケットに装着した際に、クリップ本体の裏面側における後端部から中央部に渡って形成した垂直壁がポケットの上縁に当接するので、ポケットの深さに対する筆記具の差し込み量を制限することができ、筆記具の先端がポケットの底部に当接しにくくなり、中間部が軸筒の側面から離間するよう弧状に形成したクリップ本体が、軸筒の側面からクリップの基部を突設させて軸筒と一体に形成されたクリップであっても、垂直壁がクリップ本体の後端部側を補強することでクリップが折れにくい構造となり、さらに垂直壁をクリップ本体の巾より狭くすることで、垂直壁の存在が目立つことのない構造にすることができた。
【図面の簡単な説明】
【００１１】
【図１】図１は、本実施例のクリップ付筆記具の斜視図である。
【図２】図２は、図１の一部拡大図である。
【図３】図３は、本実施例のクリップ付筆記具のクリップで、紙を挟持した状態を示す図である。
【図４】図４は、本実施例のクリップ付筆記具を、胸ポケットに装着した状態の図である。
【図５】図５は、従来のクリップ付筆記具のクリップを、胸ポケットに装着した状態の図である。
【発明を実施するための形態】
【実施例】
【００１２】
次に、図面を参照しながら実施例の説明を行うが、本発明は以下の実施例に限定されるものではない。また図中の同じ部材、同じ部品については、同じ符号としてある。
【００１３】
図１および図２を用いて、本実施例のクリップ付筆記具について説明を行う。クリップ付筆記具１は、軸筒２を前軸３と後軸４とで構成し、後軸４の後端開口部４ａから突出させたノック体５を前進させることにより、前軸３の前端開口部３ａからボールペンチップ６を出没させることができる構造である。また、後軸４の後方にはクリップ７を設けてあり、クリップ７は、中間部７ａが後軸４の側面４ｂから離間するよう弧状に形成したクリップ本体７ｂを、後軸４の側面４ｂから基部７ｃを突設させて後軸４と一体に射出成形してあり、クリップ本体７ｂの先端部７ｄは、後軸４の側面４ｂに近接させて、先端部７ｄと後軸４の側面４ｂおよび側面４ｂに形成した突起７ｃとで物を挟持できるようにしてある。また本実施例のクリップ７は、クリップ本体７ｂの裏面７ｅ側における後端部から中央部に渡り、基部７ｃより延設した状態で且つ後軸４の側面４ｂとの間に一定の隙間を設けた垂直壁７ｆを形成し、垂直壁７ｆの底面７ｇと後軸４の側面４ｂとの間に一定の隙間Ｓ１（本実施例では０．７ｍｍ）が、クリップ本体７ｂの裏面７ｅ側における垂直壁７ｆの前方と後軸４の側面４ｂとの間に全体的に形成される隙間Ｓ２（本実施例では３．５ｍｍ）より狭くなるよう形成してある。
【００１４】
次に図３と図４を用いて、本実施例のクリップ付筆記具１のクリップにて物を挟持する際について説明を行う。図３に示すように、本実施例のクリップ付筆記具１のクリップ７で薄い紙２０を挟持すると、紙２０の上縁２０ａは、クリップ７の垂直壁７ｆと後軸４の側面４ｂとの隙間Ｓ１に挿入され、クリップ７の基部７ｃに当接するまで入り込んで、クリップ７の先端部７ｄと後軸４の側面４ｂおよび突起４ｃとで紙２０を挟持することができた。また、図４に示すように、本実施例のクリップ付筆記具１を胸ポケットに装着した場合には、ポケット３０の上縁３０ａがクリップ７の垂直壁７ｆに当接して、軸筒２の先端２ａがポケット３０の底部３０ｂに当接してしまうことを防止することができた。
【００１５】
尚、図１に示したように、本実施例のクリップ付筆記具１は、クリップ７の垂直壁７ｆが、クリップ本体７ｂにおける最も折れやすい後端部側（基部７ｃ側）に形成してあることから、垂直壁７ｆがクリップ本体７ｂを補強してクリップが折れにくくなり、また、垂直壁７ｆの巾Ｈ１（本実施例では３ｍｍ）をクリップ本体７ｂの巾Ｈ２（本実施例では６ｍｍ）より狭く形成してあることから、垂直壁７ｆを目立たなくすることができた。
【００１６】
次に図５を用いて比較例である従来のクリップ付筆記具について説明を行う。クリップ付筆記具１１は、クリップ７に垂直壁７ｆを形成していない以外は、前記実施例のクリップ付筆記具１と同様である。したがって比較例のクリップ付筆記具１１は、前述の実施例のクリップ付筆記具１とは異なり、クリップ７の裏面７ｅに、垂直壁７ｆが存在しないことから、図５に示すように、ポケット３０の上縁３０ａがクリップ７の基部７ｃに当接するまで入り込み、軸筒２の先端２ａがポケット３０の底部３０ｂに当接してしまった。
【産業上の利用可能性】
【００１７】
本発明の構造は、筆記具や塗布具などの分野でクリップを有するものに広く適用ができる。
【符号の説明】
【００１８】
１…クリップ付筆記具、２…軸筒、
３…前軸、３ａ…前端開口部、
４…後軸、４ａ…後端開口部、４ｂ…側面、４ｃ…突起、
５…ノック体、
６…ボールペンチップ、
７…クリップ、７ａ…中間部、７ｂ…クリップ本体、７ｃ…基部、
７ｄ…先端部、７ｅ…裏面、７ｆ…垂直壁、７ｇ…底面、
Ｓ１…隙間、Ｓ２…隙間、Ｈ１…垂直壁の巾、Ｈ２…クリップの巾、
２０…紙、２０ａ…上縁、
３０…ポケット、３０ａ…上縁、３０ｂ…底部。
【図１】
2012106376.tif 000003
【図２】
2012106376.tif 000004
【図３】
2012106376.tif 000005
【図４】
2012106376.tif 000006
【図５】
2012106376.tif 000007